(57)【特許請求の範囲】
【請求項１】
便器後方上縁部に設置されるべきケーシング、人体局部を洗浄すべく前記ケーシング内に収容された温水洗浄機構、前記ケーシングの底部に形成されて前記便器後方上縁部と対峙するように開口する空間部および前記空間部内に固設され且つ前記温水洗浄機構の電源から延出された第１コネクタを有すると共に、更には、前記ケーシングの一方の側面に当設する取付面を備え且つ前記ケーシングに連結されたハウジング、前記ハウジング内に収容された付加機構、前記付加機構から前記空間部内に延在し且つ前記便器後方上縁部に対して常時非接触となる状態で前記ケーシングに保持されるコードおよび前記コードの先端部に接続され且つ前記第１コネクタと接続され且つ前記便器後方上縁部に対して常時隔離された第２コネクタを備えた付加ユニットを有する人体局部洗浄装置。
【請求項２】
前記コードを前記便器後方上縁部に対して常時非接触となる状態で前記ケーシングに保持する手段は、前記空間部の開口側の一部を閉鎖するように前記ケーシングの底部から突出する爪である、請求項１記載の人体局部洗浄装置。
【請求項３】
前記第１コネクタと前記第２コネクタとの接続方向が前記便器後方上縁部に対して略垂直になっている、請求項１記載の人体局部洗浄装置。
【請求項４】
前記付加ユニットは温風暖房ユニットである、請求項１記載の人体局部洗浄装置。
【発明の詳細な説明】
【０００１】
【発明の属する技術分野】
本発明は、人体局部洗浄装置に関し、特に温風暖房装置その他の付加ユニットの電気的接続構造に関する。
【０００２】
【従来の技術】
例えば、特開平５−５１９５６号公報には、人体局部洗浄装置に、トイレ空間暖房用の温風暖房ユニットを、オプションとして、付加する技術が開示されている。この技術においては、本体たるケーシングの内部には人体局部を洗浄する洗浄機構が収容されており、この機構の電源に並列接続されたコンセントがケーシング側面の上側に設置されている。オプションとしての温風暖房ユニットが吸盤でケーシングの側面に連結されたとき、温風暖房ユニット内の発熱・送風機構への電気の供給は、温風暖房ユニットから延出するコードの先端に接続されたプラグをコンセントに連結することによりなされるようになっている。
【０００３】
【発明が解決しようとする課題】
ところが、オプションとしての温風暖房ユニットが付加された場合、コードがケーシングと温風暖房ユニットとの間に架橋された状態となり、ケーシングおよび温風暖房ユニット双方の表面を拭き掃除をする場合、このコードが邪魔になることがある。また、かように露呈したコードは、決して見栄えの良いものではない。
【０００４】
それ故に、本発明は、かような不具合を除去した人体局部洗浄装置をを提供せんことを、その技術的課題とするものである。
【０００５】
【課題を解決するための手段】
上記技術課題を解決するために請求項１記載の発明において講じた技術的手段は、便器後方上縁部に設置されるべきケーシング、人体局部を洗浄すべく前記ケーシング内に収容された温水洗浄機構、前記ケーシングの底部に形成されて前記便器後方上縁部と対峙するように開口する空間部および前記空間部内に固設され且つ前記温水洗浄機構の電源から延出された第１コネクタを有すると共に、更には、前記ケーシングの一方の側面に当設する取付面を備え且つ前記ケーシングに連結されたハウジング、前記ハウジング内に収容された付加機構、前記付加機構から前記空間部内に延在し且つ前記便器後方上縁部に対して常時非接触となる状態で前記ケーシングに保持されるコードおよび前記コードの先端部に接続され且つ前記第１コネクタと接続され且つ前記便器後方上縁部に対して常時隔離された第２コネクタを備えた付加ユニットを有する人体局部洗浄装置を構成したことである。
【０００６】
【作用】
上記した技術的手段においては、付加ユニットからケーシング内部に延在するコードが、ケーシングの底部に形成された空間部内のみに位置することになり、ケーシングが便器後方上縁部に設置された後は、コードは外部に露呈することがなく、清掃の際の邪魔になったり、見栄えの悪さを惹起するようなことはない。
【０００７】
【発明の実施の形態】
以下、添付図面を参照して本発明の実施形態について説明する。
【０００８】
図１ないし図４において、人体局部洗浄装置１０は、便器１１の後方上縁部１１ａ上に載置されたケーシング１２を備える。ケーシング１２の長手方向（図１の左右方向）の一方側は、前方および下方に所定の長さだけ突出した態様の突出部１３が形成されている。ケーシング１２の前方には、周知のように、図示されないヒンジピンにより、便座１５および便蓋１６が回動可能に装架されている。ケーシング１２の内部には、洗浄水たる温水を貯溜するタンク（図示略）、マイクロコンピュータたる制御部２０、局部洗浄装置３０、局部乾燥装置４０および脱臭装置５０が収容されている。しかして、制御部２０は突出部１３上に設置せられた操作スイッチ２１がオンされたときに起動されるようになっており、また、局部洗浄装置３０、局部乾燥装置４０および脱臭装置５０は、制御部２０の統制下にあり、図示こそされないが、周知のように、突出部１３上に設置せられた各機能スイッチを操作することにより、局部洗浄装置３０、局部乾燥装置４０および脱臭装置５０が作動するようになっている。
【０００９】
ケーシング１２の内部には、また、電源６０と制御部２０、局部洗浄装置３０、局部乾燥装置４０および脱臭装置５０との間に介設される漏電保護装置７０が収容されている。
【００１０】
ケーシング１２の底部１４の他方側つまり突出部１３とは反対の側には、便器１１の後方上縁部１１ａと対峙するように開口する空間部１５が形成されている。空間部１５は、ケーシング１２の後方側に位置し且つ深状の第１部１５ａならびに底部１４の他方側端面およびに第１部１５ａの双方に開口すべく略Ｌ型をなし且つ浅状の第２部１５ｂから構成される。かような空間１５を形成するために、ケーシング１２の底部１４には、空間部１５の第１部１５ａ（第２部１５ｂ）の底板をなす第１部１４ａ（第２部１４ｂ）が、段付き形成される。そして、空間部１５の第１部１５ａの底板たる底板部１４の第１部１４ａには、局部洗浄装置３０と電源を同じくすべく、漏電保護装置７０から延出した電力線８０の先端部に接続された第１コネクタ８５が固定されている。第１コネクタ８５の軸芯は、底部１４の第１部１４ａと略直角をなすようになっている。
【００１１】
ケーシング１２の他方の側つまり突出部１３とは反対の側の面には、付加ユニットたる温風暖房ユニット９０のハウジング９１の取付面９１ａが当接する態様で、ハウジング９１がブラケット８８を介して脱着可能にケーシング１２の他方の側に連結されている。温風暖房ユニット９０のハウジング９１内には、温風装置９２およびこの温風装置９２を制御するマイクロコンピュータたる制御部９３が収容されており、温風装置９２は、操作スイッチ９４を操作することにより作動が開始・停止されるようになっている。制御部９３を通じて温風装置９２と電気的に連結されたコード９５は、ハウジング９１の取付面９１ａから、取付面９１ａと略直角をなす態様で延出して、ケーシング１２の底部１４に形成された空間部１５の第２部１５ｂを通過して、空間部１５の第１部１５ａ内に至る。しかして、コード９５の先端部には第２コネクタ９６が接続されており、この第２コネクタ９６は、空間部１５の第１部１５ａ内において、便器後方上縁部１１ａから離隔した位置において、第１コネクタ８５と接続される。
【００１２】
尚、空間部１５の第２部１５ｂ内に位置するコード９５は、ケーシング１２の底部１４に形成され且つ空間部１５の第２部１５ｂの開口の巾の略半分強を塞ぐような態様の１対の爪１４ｐにより抜け止めがなされると共に、便器後方上縁部１１ａからに対して常時非接触となるようになっている。しかして、実際の組み付けに際しては、コード９５が全体が爪１４ｐを乗り越えて、空間部１５の第２部１５ｂ内に挿入されるようになっている。
【００１３】
なお、付加ユニットは、温風暖房ユニットに限られず、空気清浄器や脱臭装置でも良い。
【００１４】
【発明の効果】
（１）請求項１の発明によれば、次の効果を奏する。
【００１５】
・付加ユニットからケーシング内部に延在するコードが、ケーシングの底部に形成された空間部内のみに位置することになり、ケーシングが便器後方上縁部に設置された後は、コードは外部に露呈することがなく、清掃の際の邪魔になったり、見栄えの悪さを惹起するようなことはない。
【００１６】
（２）請求項２の発明によれば、次の効果を奏する。
【００１７】
・コードが便器後方上縁部に付着した洗剤により損傷するおそれがない。
【００１８】
（３）請求項３の発明によれば、次の効果を奏する。
【００１９】
・仮に結露が生じても、第１コネクタと第２コネクタとの接続部から水分が侵入せず、電気的なトラブルが惹起されることはない。
【００２０】
（４）請求項４の発明によれば、次の効果を奏する。
【００２１】
・トイレ空間の暖房をオプションとして簡単に追加できる。
【図面の簡単な説明】
【図１】本発明の実施形態に係る人体局部洗浄装置の外観斜視図である。
【図２】図１の装置の主要部の裏面の外観斜視図である。
【図３】図２のＡ−Ａ線に沿う断面図である。
【図４】図１の装置における回路図である。
【符号の説明】
１１ａ  便器後方上縁部
１２    ケーシング
１４    ケーシング底部
１５    空間部
１５ａ  空間部の第１部
１５ｂ  空間部の第２部
３０    局部洗浄装置（温水洗浄機構）
６０    電源
８５    第１コネクタ
９０    温風暖房ユニット（付加ユニット）
９１    ハウジング
９１ａ  取付面
９２    温風装置（付加機構）
９５    コード
９６    第２コネクタ
【図１】
0003759543.tif 000002
【図２】
0003759543.tif 000003
【図３】
0003759543.tif 000004
【図４】
0003759543.tif 000005